(57)【特許請求の範囲】
【請求項１】
操作すべき複数の鍵を保持するための板状の鍵レバーを大正琴の天板に取り付ける取付構造であって、
上記天板の下面側に固定される弦が張られた方向に長手の部材であって、固定支持された回動軸を中心として、鍵レバーを回動自在に支持するとともに、下面に、上記鍵レバーを上記回転軸に取り付け、かつ、回動させるためのスペースを区画する、上記弦が張られた方向と交差する前後方向に延びる溝が形成されたレバー支持ブロックと、
一対の脚を備えた鍵レバー復帰用のねじりコイルばねであって、一端側の脚は、上記鍵レバーの後端部に係止されており、他端側の脚は、上記天板の下面に圧接されているとともに、上記溝を介して上記レバー支持ブロックの前面および後面の２箇所に係合する係合部を先端部に備えたねじりコイルばねとを含むことを特徴とする大正琴の鍵レバー取付構造。
【請求項２】
上記溝の底部は、上記天板の下面よりも一段低くされるとともに、上記レバー支持ブロックの前面から後面まで上記天板の下面と平行に延びたものであって、
上記係合部は、下方に凸の略コの字形状を有していて、上記溝の底部に嵌められて、上記支持ブロックの前面および後面と係合していることを特徴とする請求項１記載の大正琴の鍵レバーの取付構造。
【請求項３】
操作すべき複数の鍵を保持するための板状の鍵レバーを大正琴の天板に取り付ける取付構造であって、
上部が、上記天板の下面側に形成された固定用溝に嵌められつつ、天板に固定される弦が張られた方向に長手の部材であって、固定支持された回動軸を中心として、鍵レバーを回動自在に支持するとともに、下面に、上記鍵レバーを上記回転軸に取り付け、かつ、回動させるためのスペースを区画する、上記弦が張られた方向と交差する前後方向に延びる溝が形成されたレバー支持ブロックと、
一対の脚を備えた鍵レバー復帰用のねじりコイルばねであって、一端側の脚は、上記鍵レバーの後端部に係止されており、他端側の脚は、天板の下面に圧接されているとともに、その先端部に上記溝を介して上記レバー支持ブロックの少なくとも一部と２箇所において係合する係合部を備えたねじりコイルばねとを含み、
上記溝の底部は、上記天板の下面よりも一段高くされたものであって、
上記係合部は、上方に凸の略コの字形状を有していて、上記固定用溝に嵌められて、上記固定用溝の前面および後面と係合していることを特徴とする大正琴の鍵レバーの取付構造。
【発明の詳細な説明】
【０００１】
【発明の属する技術分野】
この発明は、大正琴、特に大正琴の鍵レバーの取付構造に関する。
【０００２】
【従来の技術】
大正琴は、筝を簡易にした楽器であり、たとえば５弦琴に複数の鍵を取り付けたものである。鍵は、胴の表面板の上方に配置された天板の前側に複数並べられており、鍵レバーにより保持されている。鍵レバーは、天板に対して上下動可能に取り付けられている。複数の鍵のうち所望の鍵を操作すると、指板の隣り合うフレット間で、鍵レバーにより弦が指板に押し付けられ、弦の振動長さが調節されるようになっている。そして、鍵から手を離すと鍵レバーが上方に復帰する。
【０００３】
このように、鍵レバーを天板に復帰可能に取り付ける構造として、たとえば図６に示すものがある。
図６を参照して、具体的に説明する。天板９の下面９ａ側には、長手のレバー支持ブロック１５が固定配置されていて、このレバー支持ブロック１５の下面１５ｂに回動軸となる通し棒１８が固定されている。レバー支持ブロック１５の下面１５ｂには、前後方向に延びる幅の薄い溝１９が複数（図６では、１つのみ図示）形成されている。この溝１９は、鍵レバー１１を取り付け、かつ、回動させるためのスペースを区画するものであり、その底部１９ａがたとえば天板９の下面９ａとほぼ面一にされている。鍵レバー１１は、軸受部１４が通し棒１８と係合することにより回動可能とされており、ねじりコイルばね２０により、復帰方向の回動習性が与えられている。具体的には、このねじりコイルばね２０は、その一端側の脚２１が鍵レバー１１の後端部１１ａに係止されているとともに、他端側の脚２３が天板９に位置決めされている。
【０００４】
他端側の脚２３の位置決めは、たとえば、天板９の下面９ａに形成された位置決め用の小孔３１に曲げ縁３２を嵌め、下方から覆った押さえ部材３３を天板９に固定することにより達成されている。
【０００５】
【発明が解決しようとする課題】
しかし、この従来の方式では、ねじりコイルばね２０の他端側の脚２３の位置決めのために、▲１▼天板９の下面９ａに位置決め用の小孔３１を設ける▲２▼天板９の下面９ａに仮止め用の両面テープを貼る▲３▼ねじりコイルばね２０の他端側の脚２３の曲げ縁３２を位置決め用の小孔３１へ挿入し、両面テープで仮止めする▲４▼他端側の脚２３を押さえ部材３３で下方から覆い、押さえ部材を天板９にタッカー止めにより固定する等の工程が必要であり、その作業が煩雑となってしまう。したがって、上記従来の取付構造では、部品点数および作業行程が多くなってしまうというという不具合があった。
【０００６】
そこで、この発明は、部品点数および工程数の削減を図ることができる大正琴の鍵レバーの取付構造を提供することを目的とする。
【０００７】
【課題を解決するための手段および発明の効果】
上記課題を解決するための請求項１記載の発明は、操作すべき複数の鍵を保持するための板状の鍵レバーを大正琴の天板に取り付ける取付構造であって、上記天板の下面側に固定される弦が張られた方向に長手の部材であって、固定支持された回動軸を中心として、鍵レバーを回動自在に支持するとともに、下面に、上記鍵レバーを上記回転軸に取り付け、かつ、回動させるためのスペースを区画する、上記弦が張られた方向と交差する前後方向に延びる溝が形成されたレバー支持ブロックと、一対の脚を備えた鍵レバー復帰用のねじりコイルばねであって、一端側の脚は、上記鍵レバーの後端部に係止されており、他端側の脚は、上記天板の下面に圧接されているとともに、上記溝を介して上記レバー支持ブロックの前面および後面の２箇所に係合する係合部を先端部に備えたねじりコイルばねとを含むことを特徴とする大正琴の鍵レバー取付構造である。
【０００８】
請求項１記載の発明の構成によれば、他端側の脚の先端部に設けられた係合部が２箇所において、レバー支持ブロックの前面および後面に係合する。他端側の脚は、前後方向の２箇所において係合が達成されているとともに、全体として天板の下面に圧接されている。これにより、ねじりコイルばねの他端側の脚の前後方向への位置決めが達成される。
また、ねじりコイルばねの他端側の脚の係合部が溝を介してレバー支持ブロックに係合しているので、ねじりコイルばねの他端側の脚の左右方向への位置決めが確実に達成されていることとなる。
【０００９】
これにより、他の部材を用いることなく、ねじりコイルばねを取り付けるだけで、他端側の脚を、天板に対して良好に位置決めすることができる。
このため、他端側の脚を位置決めするために従来必要であった押さえ部材を設ける必要がない。これにより、部品点数の低減を図ることができコストダウンを図ることができる。また、煩雑であったねじりコイルばねの他端側の脚を天板に位置決めするための工程が必要とならない。このため、工程数の削減を図ることができる。
【００１０】
請求項２記載の大正琴の鍵レバーの取付構造は、請求項１記載の大正琴の鍵レバーの取付構造において、上記溝の底部は、上記天板の下面よりも一段低くされるとともに、上記レバー支持ブロックの前面から後面まで上記天板の下面と平行に延びたものであって、上記係合部は、下方に凸の略コの字形状を有していて、上記溝の底部に嵌められて、上記支持ブロックの前面および後面と係合していることを特徴とするものである。
【００１１】
請求項２記載の発明の構成によれば、簡単な構成で係合を行うことができる。つまり、鍵レバーを取り付け、回動させるための溝で、他端側の脚の位置決めをを行うので、他の部材を何ら必要としない。これによって、コストダウン等を図ることができる。
また、請求項３記載の発明は、操作すべき複数の鍵を保持するための板状の鍵レバーを大正琴の天板に取り付ける取付構造であって、上部が、上記天板の下面側に形成された固定用溝に嵌められつつ、天板に固定される弦が張られた方向に長手の部材であって、固定支持された回動軸を中心として、鍵レバーを回動自在に支持するとともに、下面に、上記鍵レバーを上記回転軸に取り付け、かつ、回動させるためのスペースを区画する、上記弦が張られた方向と交差する前後方向に延びる溝が形成されたレバー支持ブロックと、一対の脚を備えた鍵レバー復帰用のねじりコイルばねであって、一端側の脚は、上記鍵レバーの後端部に係止されており、他端側の脚は、天板の下面に圧接されているとともに、その先端部に上記溝を介して上記レバー支持ブロックの少なくとも一部と２箇所において係合する係合部を備えたねじりコイルばねとを含み、上記溝の底部は、上記天板の下面よりも一段高くされたものであって、上記係合部は、上方に凸の略コの字形状を有していて、上記固定用溝に嵌められて、上記固定用溝の前面および後面と係合していることを特徴とする大正琴の鍵レバーの取付構造である。
【００１２】
請求項３記載の発明の構成によれば、係合部が固定用溝の前面および後面に係合する。この状態においては、ねじりコイルばねの他端側の脚は、前後方向の２箇所において係合が達成されているとともに、全体として天板の下面に圧接されている。これにより、ねじりコイルばねの他端側の脚の前後方向への位置決めが達成される。
また、ねじりコイルばねの他端側の脚の係合部が溝を介してレバー支持ブロックに係合しているので、ねじりコイルばねの他端側の脚の左右方向への位置決めが確実に達成されることとなる。
【００１３】
これにより、他の部材を用いることなく、ねじりコイルばねを取り付けるだけで、他端側の脚を、天板に対して良好に位置決めすることができる。
このため、他端側の脚を位置決めするために従来必要であった押さえ部材を設ける必要がなく、部品点数の低減を図ることができコストダウンを図ることができる。また、煩雑であったねじりコイルばねの他端側の脚を天板に位置決めするための工程が必要とならない。このため、工程数の削減を図ることができる。
【００１４】
【発明の実施の形態】
以下には、この発明の実施形態を、添付図面を参照して詳細に説明する。図６で説明した部材と同等の部材については同一の参照符号を付すこととする。
図１は、この発明の一実施形態にかかる鍵レバー取付構造が適用された大正琴１の概略構成を示す平面図である。大正琴１は、表面板３Ａを含む略箱状の胴３を備えている。胴３は長手のものであり、その上方にはたとえば５本の弦４が長手方向に並列に張られている。各弦４は、駒６によって受けられている。
【００１５】
胴３の表面板３Ａ上には指板７が配置されており、指板７の上面には前後方向に延びる複数のフレット８が取り付けられている。表面板３Ａの上方には、表面板３Ａの一部を覆う天板９が配置されていて、天板９の前端部には複数の鍵１０が並べられている。各鍵１０は、天板９に上下動可能に支持された鍵レバー１１により保持されている。鍵１０が操作されると指板７の隣り合うフレット８間で、鍵レバー１１が弦４を指板７に押し付けることにより、弦４の振動長さが調節される。
【００１６】
各弦４の振動は、駒６によって胴３の表面板３Ａに伝達される。表面板３Ａの振動によって発生した表面板３Ａの裏の空気振動は、胴３の内部で共鳴され、大きな音として、表面板３Ａの駒６と指板７との間に形成された響穴１２から外へ出される。すなわち、複数の鍵のうち所望の鍵１０が操作された状態で、弦４が図示しないピック等で弾かれることにより、任意の音程の音が響穴１２から出される。
【００１７】
図２は、図１の切断線Ａ−Ａで切った断面図である。
鍵レバー１１は、前後方向に延びる金属製の板部材であり、その端面が上方または下方を向くように配置されている。鍵レバー１１の後端寄りには、軸受部１４が形成されている。軸受部１４は、前後方向に長い長孔からなり後方が開放している。また、鍵レバー１１の後端部１１ａには上方に向かって突出する係合突起１３が形成されている。
【００１８】
天板９の下面９ａ側には、弦４が張られた方向（図１で示す左右方向）に長手のレバー支持ブロック１５が固定配置されている。具体的には、天板９の下面９ａには弦４が張られた方向に延びる固定用溝１６が形成されていて、固定用溝１６にレバー支持ブロック１５の上部１５ａを嵌めた状態で、レバー支持ブロック１５が天板９に固定されている。レバー支持ブロック１５は、たとえばその断面形状が略正方形とされた木製のものであり、その下面１５ｂには長手方向に延びる取付け溝１７が形成されている。取付け溝１７に丸棒からなる通し棒１８が固定されている。
【００１９】
この通し棒１８には、鍵レバー１１の軸受部１４が係合されている。また、レバー支持ブロック１５の下面１５ｂには、前後方向に延びる幅の薄い溝１９が前面１５ｃから後面１５ｄにわたって複数（図２では一つのみ図示）形成されている。この溝１９は、各鍵レバー１１を、通し棒１８に取り付け、また、通し棒１８を回動軸として回動させるためのスペースである。この溝１９の底部１９ａは、天板９の下面９ａよりも一段低くされているとともに、天板９の下面９ａと平行に、前面１５ｃから後面１５ｄにわたって延びている。こうして、鍵レバー１１は、レバー支持ブロック１５によって回動自在に支持されている。
【００２０】
また、天板９の下面９ａの前側辺には、弦４の張られた方向に延びるフェルト２５が貼られている。このフェルト２５は、鍵レバー１１の上方への回動を規制するためのものである。
鍵レバー１１には、ねじりコイルばね２０によって復帰方向の回動習性が付与されている。具体的には、ねじりコイルばね２０は、互いに離反する方向に付勢された一端側の脚２１と他端側の脚２３とを備えている。一端側の脚２１にはフック２２が形成されている。このフック２２が鍵レバー１１の係合突起１３に引っ掛けられることにより、一端側の脚２１が鍵レバーの後端部１１ａに係止されている。また、他端側の脚２３は、天板９に対して位置決めされている。
【００２１】
この実施形態の特徴は、他端側の脚２３の天板９への位置決め構造にある。
他端側の脚２３の先端部２３ａには、溝１９の底部１９ａに嵌められた係合部２４が形成されている。係合部２４は、下側に凸となる略コの字形状である。具体的には、この係合部２４は、他端側の脚２３の途中部２３ｂから斜め下方に向かって曲げられた垂下片２６と、垂下片２６の先端２６ａから曲げられ、他端側の脚２３の途中部２３ｂと平行に延びる連結片２７と、連結片２７の先端２７ｂから垂直に立ち上がった立上げ片２８とを備えている。連結片２７の長さは、レバー支持ブロック１５の幅とほぼ等しくされている。そして、溝１９の底部１９ａに嵌められた状態で、垂下片２６はレバー支持ブロック１５の後面１５ｄに係合し、立上げ片２８はレバー支持ブロック１５の前面１５ｃに係合している。
【００２２】
ところで、その一端側の脚２１と他端側の脚２３とが互いに離反する方向に付勢されているので、他端側の脚２３が天板９の下面９ａに圧接されている。
つまり、係合部２４で２箇所の係合が達成されているとともに、この係合部２４が全体として天板９の下面９ａに圧接されているので、ねじりコイルばね２０の他端側の脚２３の前後方向への抜止めが達成される。
また、ねじりコイルばね２０の他端側の脚２３が溝１９の底部１９ａに嵌められているので、他端側の脚２３の左右方向への位置決めが確実に達成されている。
【００２３】
これにより、他の部材を用いることなく、ねじりコイルばね２０を取り付けるだけで、ねじりコイルばね２０の他端側の脚２３を、天板９に対して良好に位置決めすることができる。
このため、他端側の脚２３を位置決めするために従来必要であった押さえ部材を設ける必要がなく、部品点数の低減を図ることができ、コストダウンを図ることができる。
【００２４】
また、従来煩雑となっていたねじりコイルばね２０の他端側の脚２３を天板９に位置決めするための工程が必要とならない。このため、工程数の削減を図ることもできる。
なお、他端側の脚２３の係合部は、上述のものに限られない。
図３に示すように、溝１９の底部１９ａの長さがレバー支持ブロック１５の幅よりも小さくされている場合には、係合部２４Ａの連結片２７Ａの長さを、この溝１９の底部１９ａの長さと略等しくすることができる。
【００２５】
また、上述の実施形態では、ねじりコイルばね２０の他端側の脚２３の係合部２４，２４Ａが略コの字状となる構成について説明したが、たとえば図４に示すように、溝１９の底部１９ａに後方に向かう上り傾斜が付けられている場合には、係合部４４をこれに噛み合うような略Ｌ字形状のものとすることができる。具体的には、係合部４４は、斜め片４６と斜め片４６の先端４６ａから上方へと立ち上がる立上げ部４８とを備えている。そして、斜め部４６は傾斜が付けられた底部１９ａと係合し、立上げ部４８はレバー支持ブロック１５の前面１５ｃと係合する。
【００２６】
さらに図５に示すように、溝１９の底部１９ａが天板９の下面９ａよりも上方に位置する場合には、上方に凸の略コの字形状の係合部５４を用いることもできる。具体的には、この係合部５４は、他端側の脚２３の途中部２３ｂから垂直に立ち上がった立上げ片５６と、立上げ片５６の先端５６ａから垂直に曲げられ、他端側の脚２３の途中部２３ｂと平行に延びる連結片５７と、連結片５７の先端５７ａから垂直に垂下した垂下片５８とを備えている。そして、立上げ片５６が固定用溝１６の後面１６ｂに係合し、垂下片５８が固定用溝１６の前面１６ａと係合する。
【００２７】
その他、特許請求の範囲に記載された事項の範囲内で種々の設計変更を施すことが可能である。
【図面の簡単な説明】
【図１】この発明の一実施形態にかかる鍵レバーの取付構造が適用された大正琴の概略構成を示す平面図である。
【図２】図１の切断線Ａ−Ａで切った断面図である。
【図３】この発明の他の実施形態を示す要部断面図である。
【図４】この発明の他の実施形態を示す要部断面図である。
【図５】この発明の他の実施形態を示す要部断面図である。
【図６】従来の大正琴の鍵レバーの取付構造を説明するための図である。
【符号の説明】
１  大正琴
９  天板
９ａ  下面
１１  鍵レバー
１５  レバー支持ブロック
１６  固定用溝
１９  溝
１９ａ  下端
２０  ねじりコイルばね
２１  一端側の脚
２３  他端側の脚
２４  係合部
【図１】
0003574771.tif 000002
【図２】
0003574771.tif 000003
【図３】
0003574771.tif 000004
【図４】
0003574771.tif 000005
【図５】
0003574771.tif 000006
【図６】
0003574771.tif 000007